(57)【特許請求の範囲】
【請求項１】
手首に装着する手首バンドであって、
キノコ形、Ｔ字形、Ｌ字形あるいはＪ字形のフック部材の多数により形成されたフック側係着面をベース体の一方の面に有するフック面ファスナ部材、このフック面ファスナ部材の前記フック部材が着脱自在に掛る多数のフック掛り部材を繊維製部材により形成されたフック掛り繊維側係着面をベース体の一方の面に有する繊維面ファスナ部材、
この繊維面ファスナ部材で一方の面の全面が前記フック掛り繊維側係着面とされるとともに、他方の面が接合面とされた一方の繊維面ファスナ部材と、
前記繊維面ファスナ部材で一方の面の全面が前記フック掛り繊維側係着面とされるとともに、他方の面が接合面とされた他方の繊維面ファスナ部材と、
前記一方の繊維面ファスナ部材のベース体を含むフック掛り繊維側係着面部位および前記他方の繊維面ファスナ部材のベース体を含むフック掛り繊維側係着面部位あるいはいずれか一方のベース体を含むフック掛り繊維側係着面部位の一部を取り除いた形態で形成された係着面カット部位と、
前記一方の繊維面ファスナ部材の前記接合面と前記他方の繊維面ファスナ部材の前記接合面を直接にあるいは他の部材を挟んで接着、融着あるいは溶着の接合形態で一体化して形成した手首バンド本体と、
前記係着面カット部位内の露出された面に印刷されあるいは印刷された表記部材を貼り付け表示されたものである、名称、ロゴ、広告、模様の表記と、
前記手首バンド本体に形成された、手の手根の側面が当るのを避けるための凹形態あるいは２箇所以上の切り込みにより形成された手の手根の側面に押されて外に逃げる形態の手避け部とからなることを特徴とする手首バンド。
【請求項２】
他の部材がシート製部材からなるとともに、このシート製部材の係着面カット部位で露出された部位が名称、ロゴ、広告、模様が印刷された表記部位であることを特徴とする請求項１記載の手首バンド。
【請求項３】
手避け部が位置する部位の手首バンドの幅が、手首の踝と手の根元の間に収まる幅に形成された手首収まり幅部としてなることを特徴とする請求項１、２いずれか記載の手首バンド。
【請求項４】
手首バンド本体と同一部材により一体的に形成された手の手根を載せテーブル面上を滑らせる手根載せ滑らせ部を設けてなることを特徴とする請求項１、２、３いずれか記載の手首バンド。
【請求項５】
手首バンド本体と同一部材により手の手根を載せテーブル面上を滑らせる手根載せ滑らせ部を、手首バンド本体と別体で設け、前記手根載せ滑らせ部の一方の面の手の根の載らない部位にフック面ファスナ部材を設け、該フック面ファスナ部材によって、前記手首バンド本体に前記手根載せ滑らせ部を着脱自在に係着することができるようにしてなることを特徴とする請求項１、２、３いずれか記載の手首バンド。
【発明の詳細な説明】
【技術分野】
【０００１】
本発明は、鮮明な広告などの表記を可能とした手首バンドに関する。
【背景技術】
【０００２】
従来、マウスを滑動かし操作する動作においては手根を操作台に載せ置いた状態で行うために、皮膚が薄く敏感な部分であるためなどの理由により違和感を感じたり、人によってはストレスとなり、人によっては肩こり腕のしびれを生じ、神経系などに支障をきたす、それが腕以外の身体の他の部位に不快感や違和感を生じたいり異常をもたらす引き金になったりなどなど、身体面、精神面ないし心理面にまで悪影響を与えているという問題があった。
このような問題を解決するための技術として、マウスの使用時に手の手根がマウスパットや机に接触して擦れる違和感を無くすための技術として、特許文献１（特開２００６−１１３６１９の（図７）に手載せ具の発明が開示されている。
【０００３】
【特許文献１】特開２００６−１１３６１９（図７）
【非特許文献１】特になし
【発明の開示】
【発明が解決しようとする課題】
【０００４】
特開２００６−１１３６１９の図７に開示された発明は、略手首に巻装着する内面（手首に接触する面）に繊維面ファスナ部材の一方の側（図示せず）を設けた手首バンド（バンド３１）と、この手首バンド（バンド３１）に設けられたマウスを支持した手の手根を載せる手根載せ滑らせ部（手載せ具本体３２）とからなり、手Ａとマウス２を移動させる場合に該Ａの手のひらＢを手根載せ滑らせ部（手載せ具本体３２）上に載せ置いて移動させるものである。
そして、手根載せ滑らせ部（手載せ具本体３２）の手首バンド（バンド３１）に係止される部位である取付け部３３には手首バンド（バンド３１）の内面の繊維面ファスナ部材に係合するフック面ファスナが設けられて着脱自在とされている。
手根載せ滑らせ部（手載せ具本体３２）は特に材質やその形態は記述されておらず、少なくともテーブル面上やマウスパット上を滑る部材である。
この従来技術には次のような解決すべき課題があった。
（１）手首バンドを手に当る部位に巻いた場合に、手首バンドの縁が手の付け根あたりの主に手の手根側面に当り違和感があるという欠点を有するものであった。
（２）前記（１）の欠点を回避するために手の手根側面から離れた腕部位に手首バンドを巻いた場合には、腕のストレートな部位への手首バンドの装着となり、
第１に、装着感を良くするために装着感を緩くした場合には、装着性が甘くなり操作中に不用意に動き移動してしまうこと頻繁に生じ使用感と操作性が大変悪いという欠点を有するとともに、その都度装着しなおしを行うとか他方の手で手首側への戻し操作を行うとか、煩雑な操作をしなければならないので使用感が悪いものになってしまう、
第２に、移動しないようにするために締め付けを強くした巻き付けとした場合には、腕への締め付けが強く違和感があるとともに、長時間締め付けたまま装着していることが血液の循環の悪化を招くなど、長時間の使用ができ難い、
第３に、手首バンドから手の手根が遠くなるので、その分だけ手根載せ滑らせ部を長くしなければならない、
という欠点を有するものである。
（３）手を洗う場合や、手に荷物を持つ場合や、装着したまま出かけるなどの場合に、手根位に被さっている手根載せ滑らせ部（手載せ具本体３２）が邪魔になるという欠点を有するものであったし、その都度外すのが面倒であったり、外し置いために置き忘れたり、紛失してしまうことが生じるという問題があった。
（４）手根載せ滑らせ部（手載せ具本体３２）は手首バンド（バンド３１）から着脱できる構造であるが、手首バンド（バンド３１）に内面に面ファスナの係合により係止する構造であるため、手首バンドを手首に巻いた状態のままでは着脱することができないものであり、別の手根載せ滑らせ部に交換する以外に、技術的意義を見出せないものである。
特に、特許宇文献１においては、マウスの非操作時には手首バンドの手首への装着はそのままにして、手根載せ滑らせ部を手の手根から退避させ、他の動作や作業等の邪魔にならないようにするという課題は何ら示唆されていないものであることからも、手根載せ滑らせ部の退避という技術的思想については全く無いものであることは明らかである。
（５）特許請求の範囲および誤記するように、本願発明の手首に巻き装着するバンド部位および手根載せ滑らせ部は、フック面ファスナ部材のフックが着脱自在に掛る多数のフック掛り部材を繊維製部材により形成されたフック掛り繊維側係着面を有する繊維面ファスナ部材からなっているものであるが、フック掛り繊維側係着面に広告などの表記を鮮明に表示することができないという問題を持つものであり、この課題を解決し鮮明な広告力を有するものにすることが、販促品的な製品にすることが課題となっているものである。
【０００５】
本発明は以上のような従来技術の欠点に鑑み、以下のような目的の手首バンドを提供することを目的としている。
本発明の第１の目的は、鮮明な名称、ロゴ、模様あるいは広告などを表記されたあるいは表記することができる手首バンドを提供することを目的としている。
本発明の第２の目的は、前記第１の目的に加えて、手首バンドによる手の付け根への当り違和感が生じないとともに、マウス非操作時は手根載せ滑らせ部を手の手根から手首バンドの手首への装着はそのままで退避させることができる手首バンドを提供することを目的としている。
また、本発明の第３の目的は、前記第１および第２の目的に加えて、手首バンドによる手への当り違和感が小さいとともに、手首バンドの軽い締め付け装着でも移動することが生じ難い手首バンドを提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲をそれらのみに限定する趣旨のものではない。
【課題を解決するための手段】
【０００７】
上記目的を達成するために本発明は次のような構成となっている。
＜請求項１記載の発明の構成＞
手首に装着する手首バンドであって、
キノコ形、Ｔ字形、Ｌ字形あるいはＪ字形のフック部材の多数により形成されたフック側係着面をベース体の一方の面に有するフック面ファスナ部材、このフック面ファスナ部材の前記フック部材が着脱自在に掛る多数のフック掛り部材を繊維製部材により形成されたフック掛り繊維側係着面をベース体の一方の面に有する繊維面ファスナ部材、
この繊維面ファスナ部材で一方の面の全面が前記フック掛り繊維側係着面とされるとともに、他方の面が接合面とされた一方の繊維面ファスナ部材と、
前記繊維面ファスナ部材で一方の面の全面が前記フック掛り繊維側係着面とされるとともに、他方の面が接合面とされた他方の繊維面ファスナ部材と、
前記一方の繊維面ファスナ部材のベース体を含むフック掛り繊維側係着面部位および前記他方の繊維面ファスナ部材のベース体を含むフック掛り繊維側係着面部位あるいはいずれか一方のベース体を含むフック掛り繊維側係着面部位の一部を取り除いた形態で形成された係着面カット部位と、
前記一方の繊維面ファスナ部材の前記接合面と前記他方の繊維面ファスナ部材の前記接合面を直接にあるいは他の部材を挟んで接着、融着あるいは溶着の接合形態で一体化して形成した手首バンド本体と、
前記係着面カット部位内の露出された面に印刷されあるいは印刷された表記部材を貼り付け表示されたものである、名称、ロゴ、広告、模様の表記と、
前記手首バンド本体に形成された、手の手根の側面が当るのを避けるための凹形態あるいは２箇所以上の切り込みにより形成された手の手根の側面に押されて外に逃げる形態の手避け部とからなることを特徴とする手首バンドを構成している。
＜請求項２記載の発明の構成＞
請求項１記載の発明の構成において、他の部材がシート製部材からなるとともに、このシート製部材の係着面カット部位で露出された部位が名称、ロゴ、広告、模様が印刷された表記部位であることを特徴とする手首バンドを構成している。
＜請求項３記載の発明の構成＞
請求項１、２いずれか記載の発明の構成において、手避け部が位置する部位の手首バンドの幅が、手首の踝と手の根元の間に収まる幅に形成された手首収まり幅部としてなることを特徴とする手首バンドを構成している。
＜請求４記載の発明の構成＞
請求項１、２、３いずれか記載の発明の構成において、手首バンド本体と同一部材により一体的に形成された手の手根を載せテーブル面上を滑らせる手根載せ滑らせ部を設けてなることを特徴とする手首バンドを構成している。
＜請求項５記載の発明の構成＞
請求項１、２、３いずれか記載の発明の構成において、手首バンド本体と同一部材により手の手根を載せテーブル面上を滑らせる手根載せ滑らせ部を、手首バンド本体と別体で設け、前記手根載せ滑らせ部の一方の面の手の根の載らない部位にフック面ファスナ部材を設け、該フック面ファスナ部材によって、前記手首バンド本体に前記手根載せ滑らせ部を着脱自在に係着することができるようにしてなることを特徴とする手首バンドを構成している。
【発明の効果】
【０００８】
以上の説明から明らかなように、本発明にあっては次に列挙する効果が得られる。
＜請求項１記載の発明の効果＞
（１）両面が通気性と柔軟性と反発弾性力のあるフック掛り繊維側係着面を両面に設けた構成であるので、
１：手首との接触が通気性のよいものとでき、手首との接触面積の少ないソフトなクッション面とできるので、肌への接触がソフトで通気性のよいものとする、
２：表面および裏面が同様なフック掛り繊維側係着面の構成であるので、いずれの面を外面、内面としてでも前記１と同様な装着感を得ることができるという作用効果を奏するものである。
５：本願発明が特許されるべき理由
マジックテープ（登録商標）などの面ファスナは、連結手段、接合手段あるいはバンドの連結調節手段として使用されることを目的としているものである。
さらに一方の面をフック掛り繊維側係着面とし他方の面をフック側係着面とした面ファスナが知られているが、これは手首バンドなどとして使用した場合にフック部材がフック掛り部材に掛り係着されて連結することを目的としているものであり、フック側係着面のフック部材は固く肌に直接接触させておくことはでき難いものである。
しかるに、本願発明のフック掛り繊維側係着面を両面に設けるという技術的思想ないし構成およびそれらを解決手段にする発明に導く課題は、従来において何ら提起されていないものであり、この技術的思想ないし構成には新規性および進歩性があるものである。
さらに、一方の面にフック掛り繊維側係着面を有していればベルトの係着による連結調節という目的が達成されるとともに、一方の面のフック掛り繊維側係着面だけを使用するのみであることから、フック掛り繊維側係着面を両面に設けることに技術的意義が見出せないとともに、単に高価になるだけのものとするだけのものであるので、従来の使用態様ないし使用形態を目的とする範囲では、フック掛り繊維側係着面を両面に設けた面ファスナを想到することには、それによって課題が解決される特別な課題への想到がない限り、当業者といえども容易に想到できないものであることはあきらかである。
まして、本願発明は、  １：手首との接触が通気性のよいものとでき、手首との接触面積の少ないソフトなクッション面とできるので、肌への接触がソフトで通気性のよいものとする、
２：表面および裏面が同様なフック掛り繊維側係着面の構成であるので、いずれの面を外面、内面としてでも前記１と同様な装着感を得ることができるという、従来技術では成し得ない顕著で格別な作用効果を奏するものである。
（２）一方の繊維面ファスナ部材、他の部材、他方の繊維面ファスナ部材を重ね接合一体化した構成であるので、予めそれぞれを打抜あるいは切断などにより所定の形状に形成しておいて重ね接合一体化して手首バンドを形成する、あるいは、大きな一方の繊維面ファスナ部材、他の部材、他方の繊維面ファスナ部材を重ね一体化して所定の形状に打抜あるいは切断などにより手首バンドを形成するものであるので、その製造コストが極めて安価であり且つ材料コストも安価であるので、広告力のある販促品などとして適した安価な手首バンドを提供することができるという効果を奏する。
（３）「手首バンド本体に形成された、手の手根の側面が当るのを避けるための凹形態あるいは２箇所以上の切り込みにより形成された手の手根の側面に押されて外に逃げる形態の手避け部」によって、
１：主に手の手根の側部が当るのを避けるための凹形態ないし押され逃げ可動の手避け部によって、手首を左右に動かしても手首バンドの前縁が手の手根側面に当ることが回避され、手首の左右動かし操作や動作を行うことが手首バンドの当り無しに違和感無く行うことができるという作用効果を奏する。
２：前記１：によて、手避け部を１ｃｍ程度は凹ませるものであるので、手首バンドに手根載せ滑らせ部を取り付ける使用形態においては、その分だけ手根載せ滑らせ部を従来のものに比べて前方に移動させるものであり、よって、その分すなわち手根載せ滑らせ部を１ｃｍ程度は従来のものより短くできるという効果を奏するものである。
３：本願発明が特許されるべき理由：
手根載せ滑らせ部（手載せ具本体３２）は手首バンド（バンド３１）から着脱できる構造であるが、手首バンド（バンド３１）に内面に面ファスナの係合により係止する構造であるため、手首バンドを手首に巻いた状態のままでは着脱することができないものであり、別の手根載せ滑らせ部に交換する以外に、技術的意義を見出せないものである。
特に、特許宇文献１においては、マウスの非操作時には手首バンドの手首への装着はそのままにして、手根載せ滑らせ部を手の手根から退避させ、他の動作や作業等の邪魔にならないようにするという課題は何ら示唆されていないものであることからも、手根載せ滑らせ部の退避という技術的思想については全く無いものであることは明らかである。
（４）「フック掛り繊維側係着面部位の一部を取り除いた形態で形成された係着面カット部位」を設け「係着面カット部位内に設けられた名称、ロゴ、広告あるいは模様などを表記」としたことによって、鮮明で外れない表記を実現するという効果を奏する。
（５）一方の繊維面ファスナ部材、他の部材、他方の繊維面ファスナ部材を重ね接合一体化した構成であるので、予めそれぞれを打抜あるいは切断などにより所定の形状に形成しておいて重ね接合一体化して手首バンドを形成する、あるいは、大きな一方の繊維面ファスナ部材、他方の繊維面ファスナ部材を重ね一体化して所定の形状に打抜あるいは切断などにより手首バンドを形成するものであるので、その製造コストが極めて安価であり且つ材料コストも安価であるので、販促品などとして適した安価な手首バンドを提供することができるという効果を奏する。
＜請求項２記載の発明の効果＞
請求項１記載の発明の構成において、他の部材がシート製部材からなるとともに、このシート製部材の係着面カット部位で露出された部位が名称、ロゴ、広告、模様が印刷された表記部位であることを特徴とする手首バンドを構成しているので、このような構成としても請求項１記載の発明と同様な効果を奏することができるという効果を奏する。
特に、他の部材に予め広告等を印刷しておくことにができるという効果を奏する。
＜請求項３記載の発明の効果＞
請求項１、２いずれか記載の発明の構成において、手避け部が位置する部位の手首バンドの幅が、手首の踝と手の根元の間に収まる幅に形成された手首収まり幅部としてなることを特徴とする手首バンドを構成しているので、
請求項１、２いずれか記載の発明の効果に加えて、締め付け違和感のないあるいは軽微な軽く緩やかな手首バンドの締め付けでも、手首収まり幅部が手首踝と手の根元に当り感を生じさせることなく、手首踝と手の根元の手首凹に収まるので、手首収まり幅部が軽いストッパーとなって、マウス操作時に移動することが生じないという効果を奏する。
＜請求４記載の発明の効果＞
請求項１、２、３いずれか記載の発明の構成において、手首バンド本体と同一部材により一体的に形成された手の手根を載せテーブル面上を滑らせる手根載せ滑らせ部を設けてなることを特徴とする特徴とする手首バンドを構成しているので、
（１）両面が通気性と柔軟性と反発弾性力のあるフック掛り繊維側係着面を両面に設けた構成であるので、
１：手の根を載せる部位のテーブル面との接触面積を減らし滑りを良くする、
２：載せた手の根部位の載り接触する部位に通気性をよくする、
３：載せた手の根部位の接触する部位が接触面積の少ないソフトなクッション面とする、
４：手の根を載せた部位に全体のソフトなクッション性と滑り操作時の振動を吸収させる、手首に巻き装着する手首バンド部位の肌への接触がソフトで通気性のよいものとする、
５：表面および裏面が同様な構成であるので、いずれの面を外面、内面としてでも前記１：〜４：と同様な操作・使用感および装着感を得ることができるという作用効果を奏するものである。
５：本願発明が特許されるべき理由
手根載せ滑らせ部を通気性があり且つテーブル面との接触面積の小さな不織布などの部材に置き換えることは当業者にとっては容易なし得るものであると思料する。
しかし、マジックテープ（登録商標）などの面ファスナは、連結手段、接合手段あるいはバンドなどの連結調節手段として使用されることを目的とし、また本願発明の技術的分野での手首に装着するマウス操作補助具においても同ように、手首バンドの連結調節手段としての目的を果すのみものである。
さらに一方の面をフック掛り繊維側係着面とし他方の面をフック側係着面とした面ファスナが知られているが、これは手首バンドなどとして使用した場合にフック部材がフック掛り部材に掛り係着されて連結することを目的としているものであり、フック側係着面を肌側にしての使用は硬いフック部材が皮膚を突き到底使用できなものであるとともに、フック側係着面をテーブル面に当てての滑らせ使用は、滑り騒音が大きく使用しがたいものである。
しかるに、本願発明のフック掛り繊維側係着面を両面に設けるという技術的思想ないし構成およびそれらを解決手段にする発明に導く課題は、従来において何ら提起されていないものであり、この技術的思想ないし構成には新規性および進歩性があるものである。
さらに、一方の面にフック掛り繊維側係着面を有していればベルトの係着による連結調節という目的が達成されるとともに、一方の面のフック掛り繊維側係着面だけを使用するのみであることから、フック掛り繊維側係着面を両面に設けることに技術的意義が見出せないとともに、単に高価になるだけのものとするだけのものであるので、従来の使用態様ないし使用形態を目的とする範囲では、フック掛り繊維側係着面を両面に設けた面ファスナを想到することには、それによって課題が解決される特別な課題がない限り、当業者といえども容易に想到できないものであることはあきらかである。
まして、本願発明は、マウス操作補助具という技術分野において、１：手の根を載せる部位のテーブル面との接触面積を減らし滑りを良くする、２：載せた手の根部位の載り接触する部位に通気性をよくする、３：載せた手の根部位の接触する部位が接触面積の少ないソフトなクッション面とする、４：手の根を載せた部位に全体のソフトなクッション性と滑り操作時の振動を吸収させる、手首に巻き装着する手首バンド部位の肌への接触がソフトで通気性のよいものとする、５：表面および裏面が同様な構成であるので、いずれの面を外面、内面としてでも前記１：〜４：と同様な操作・使用感および装着感を得ることができるという、従来技術には無い顕著で格別な作用効果を奏するものである。
＜請求項５記載の発明の効果＞
請求項１、２、３いずれか記載の発明の構成において、手首バンド本体と同一部材により手の手根を載せテーブル面上を滑らせる手根載せ滑らせ部を、手首バンド本体と別体で設け、前記手根載せ滑らせ部の一方の面の手の根の載らない部位にフック面ファスナ部材を設け、該フック面ファスナ部材によって、前記手首バンド本体に前記手根載せ滑らせ部を着脱自在に係着することができるようにしてなることを特徴とする手首バンドを構成しているの、
請求項１、２、３いずれか記載の発明の効果と同様な効果を奏するとともに、使用しないときは手根載せ滑らせ部を手洗いなどの邪魔にならない部位と向きで手首バンド本体上に係止しておくことができるので、手首バンドを外すことなく常に手首に装着携行し使用できるという効果を奏する。
【発明を実施するための最良の形態】
【０００９】
以下、図面に示す発明を実施するための最良の形態により、本発明を詳細に説明する。
【００１０】
＜第１の実施の形態＞
図１、図２、図３に示す本発明を実施するための最良の第１の実施の形態において１は手首バンドであった、この手首バンド１は主にコンピュータ操作をおこなうマウス２の使用時に手Ａに装着する手首バンドである。
定義：キノコ形、Ｔ字形、Ｌ字形あるいはＪ字形などのフック部材９の多数により形成されたフック側係着面９７をベース体９４の一方の面に有するフック面ファスナ部材２１、このフック面ファスナ部材２１の前記フック部材９が着脱自在に掛る多数のフック掛り部材７を繊維製部材により形成されたフック掛り繊維側係着面９６をベース体９５の一方の面に有する繊維面ファスナ部材２２。
手首Ｂに巻き装着される表側を形成する繊維面ファスナ部材２２ａ、裏側を形成する繊維面ファスナ部材２２ｂ、この繊維面ファスナ部材２２ａ、２２ｂの間に挟まれたシート製部材からなる他の部材９１を重ね接合してなる手首バンド本体３と、この手首バンド本体３の一部が手の指先側に向かって突き出すように形成された、手の手根Ｃを乗せるための手根載せ滑らせ部４と、手首バンド本体３の一方の側を形成するバンド部位５と、手首バンド本体３の他方の側を形成するバンド部位６と、手根載せ滑らせ部４のテーブル面上での滑り面を形成するフック掛り繊維側係着面９６からなる滑り面部８と、バンド部位５とバンド部位６を着脱自在に連結し且つ手首巻き付け調節が行えるフック側係着面９７を有する係止手段１０とからなっている。
係止手段１０以外の表面、裏面の略全面がフック掛り繊維側係着面９６となっている。
フック掛り繊維側係着面９６は、汗による細菌の繁殖と臭気の発生を抑える抗菌繊維あるいは抗菌脱臭繊維により形成されている。
バンド部位５とバンド部位６には手根Ｃの側部（側面）が当るのを避けるための凹形態の手避け部１１、１１が形成され、この手避け部１１、１１により一方のバンド部位５と他方のバンド部位６には手首の踝Ｄと手Ａの根元との間に収まる幅の手首収まり幅部１２、１２に形成されている。
手避け部は、手避け部１１、１１のごとくバンド部位５とバンド部位６をカットする形態以外に、カットせずに二つ以上の切込みにより手根側面が当る部位が外に押され動いて、手根側面への当りを弱める形態とするのもよい。
また、手首収まり幅部も同様に、ごとくバンド部位５とバンド部位６をカットする形態以外に、対応する部位の前部位および後部位あるいはいずれか一方の部位に二つ以上の切込みにより手根側面および手首踝あるいはいずれか一方が当る部位が外に押され動いて、手首の踝Ｄと手Ａの根元との間に収まる幅の手首収まり幅部を形成するようにする形態もよい。
係止手段１０は両面をフック側係着面９７にして、着脱自在として手首に太さに合った位置に自在に設定できる位置にすることができるようにするのがよい。
手避け部１１、１１と手根載せ滑らせ部４の連絡部位が、手首の幅よりも狭い幅である狭い幅部１３とされている。
狭い幅部の形態は、手避け部１１、１１と滑らかに連続する曲線形態とされてなる形態のもの、手避け部１１、１１と手根載せ滑らせ部４と連結する部位に切り込みをいれて形成してなる切り込み形態のものなどがあり、手根乗せ滑らせ部４の根元側（手首側）が持ち上がることなく平形態となるようにするためのものである。
すなわち、狭い幅部によって、手避け部１１、１１の役割に影響を与えることなく横幅の広い手根載せ部にできるとい効果を奏する。横幅の広い手根載せ部は手の手根部位を広い面積で受けて、手根載せ部の縁が手の手根に当り違和感を与えない形態などが実現できるものである。
手首バンド（腕部分に掛るものも含む）の手首への巻きつけ連結方法は、バンド部位５、６のように厚みがあり折畳み難い硬さであるものは、面ファスナーを係止手段としてバンド部位同士を重ね連結するのがよいが、手首バンドが折畳みやすい柔軟性のあるものである場合は、バンド部位の一方の側に他方のバンド部位を通す環あるいはバンド通し孔からなるバンド通し部を設け、面ファスナーを設けた他方のバンド部位をバンド通し部に通し折畳み締め、他方の手首バンド同士を合せ係止して連結するという形態もよいものである。
手首バンド本体３および手根載せ滑らせ部４は繊維面ファスナ部材２２の厚みが略２ｍｍであり、二枚の繊維面ファスナ部材２２、２２の接合面（フック掛り繊維側係着面９６を有する面の反対面）間に薄いシート部材からなる他の部材９１を耐水性接着剤により貼り合せて形成していて、洗剤で水洗いすることができる。
バンド部位５の裏面側を形成している繊維面ファスナ部材２２ａの係止手段１０の裏側を含む面の一部を一部を取り除いた形態で形成された開口形態の係着面カット部位９０を設け、係着面カット部位９０内に露出された他の部材９１面に施された名称、ロゴ、広告あるいは模様などの表記９２としている。
係着面カット部位は開口穴形態に限定されず、他の部材９１が露出される形態ならどのような形態でもよく、形成される場所（表面、裏面、バンド部位、手根載せ滑らせ部）や形状も多様なものがある。
【００１１】
（発明を実施するための異なる形態）
次に、本発明を実施するための異なる形態について説明する。なお、これら本発明を実施するための異なる形態の説明にあたって、前述した実施の形態の説明と同じ構成には同じ符号を付しその説明を省略する。
【００１２】
図４に示す本発明を実施するための最良の第２の実施の形態において前記第１の実施の形態と主に異なる点は、
手根載せ滑らせ部４がバンド部位５、６と分離した形態とされ、該手根載せ滑らせ部４の上面の手首バンドと重ねあわされる部位にフック面ファスナ部材７からなる係止手段１５が設けられ、手根載せ滑らせ部４がバンド部位５、６のどこにでもどの向きでも着脱自在に係止させておくことができるようにされ、織物形態あるいは不織布形態とループ繊維の組合せからなるフック掛り部材１４が１層で消音層１８が１層の手根載せ滑らせ部追加層体１６を設け、手根載せ滑らせ部４、バンド部位５からバンド部位６に貫通した通気孔１７を多数箇所に設けてなる手首バンド２０を形成した点にある。
滑り面部８、手根載せ滑らせ部４、バンド部位５、バンド部位６などもフック掛り部材１４となっている。
手根載せ滑らせ部４はフック掛り部材１４を一体的に重ねた３〜４層形態とするのもよい。また、２層目ないし３層目を消音層１８とするのもよい。
【００１３】
図５に示す本発明を実施するための最良の第３の実施の形態において前記第１の実施の形態と主に異なる点は、
フック掛り部材７に肌が接触しているとかぶれるなどの症状が生じる人のために、肌にかぶれなどを起さない木綿や麻や絹などの部材でできた、保護カバー２４を設けた点にある。
保護カバー２４は全体的に手首バンド１と同様な形で該１よりも一回り大きな形態となっていて、フック面ファスナ部材９からなる取り付け手段２６、２７が手首巻き部２８、２９に設けら、手載保護部３０に手根を載せるようになっている。
【００１４】
図６に示す本発明を実施するための最良の第４の実施の形態において前記第１の実施の形態と主に異なる点は、
手首の奥側腕もテーブルに接触しないように手首バンド本体を延長した形態の腕載せ部３３を設けた手首バンド３４を形成した点にある。
また、フック掛り部材７に肌が接触しているとかぶれるなどの症状が生じる人のために、肌にかぶれなどを起さない木綿や麻や絹などの部材でできた、保護カバー３５を設けた点にある。
保護カバー３５は全体的に手首バンド３４と同様な形で該３４よりも一回り大きな形態となっていて、フック部材９からなる取り付け手段２６、２７が手首巻き部２８、２９に設けら、手保護部３０に手を載せ、腕保護部３６に腕を載せるようになっている。
【００１５】
図７ないし図８に示す本発明を実施するための最良の第５の実施の形態において４０は手首バンドであって、この手首バンド４０はバンド部位４１、バンド部位４２とからなる手首に巻き装着される手首バンド本体４３と、
バンド部位４１の端方に設けられたバンド部位４２を通すためのバンド通し部である環部材４４と、
手首バンド本体４３から前方に突き出すように且つ該手首バンド本体４３に着脱自在な形態で設けられた、手の手根を載せてテーブル面上やマウスパット面上を滑らせる手根載せ滑らせ部４５と、
バンド部位４２の底面端に設けられた、環部材４４にバンド部位４２を通して折畳み締めてバンド部位４２の底面（外面）同士を合せ、該底面を形成するフック掛り繊維側係着面５０に着脱自在に係止する係止手段であるフック面ファスナ部材４６と、
バンド部位４１とバンド部位４２に設けられた、手首バンド本体４３を手首に巻き付け装着した場合に、主に手の手根の側部（手の根元）に手首バンドの縁が当るのを避けるための湾曲凹形態の手避け部４７、４７と、
手避け部４７、４７と手根載せ滑らせ部４５の連絡部位を形成する、手首の幅よりも狭い幅である狭い幅部４８、４８と、
バンド部位４１とバンド部位４２の手避け部４７、４７の位置する部位のバンド幅が、手首の踝と手の根元の間に収まる幅に形成されてなる手首収まり幅部４９、４９と、
から構成されている。
フック面ファスナ部材４６は、両面をフック側係着面としするとともに、一方の面のフック側係着面を他方の面のフック側係着面より係着力を小さいものとしてもよい。
このような構成とすることにより、フック面ファスナ部材４６を使用者の手首の太さに合わせた位置とすることができ、余分なバンド部位４２は切り取って使用者にあった長さにできる。
バンド部位４１、バンド部位４２とからなる手首に巻き装着される手首バンド本体４３と手根載せ滑らせ部４５は、一枚のベース体９８と、このベース体９８の両面にはフック掛り繊維側係着面が直接形成され、一方の面をフック掛り繊維側係着面９６ａ、他方の面をフック掛り繊維側係着面９６ｂとしている。
ベース体９８は厚みが０．１ｍｍ〜０．２ｍｍ程度の一枚であるので折畳みやすく、その両面にフック掛り繊維側係着面が直接的に植毛、融着あるいは溶着などされた構成であるので部材および製造コストが安価にできる。
またベース体９８は０．１ｍｍ〜０．２ｍｍ程度と薄いので、手根載せ滑らせ部４５を係着した状態において、手首と該手根載せ滑らせ部４５の間に生じる段差が小さく、その段差が手首に装着した状態で該手首に当っても、違和感のないないし感じさせたとしても弱く小さいものにできるという効果を奏する。
バンド部位４１の外面の一部には、フック掛り繊維側係着面９６ｂの一部が刈り取られるあるいは熱融着ないし熱溶着により押し潰された凹形態の係着面カット部位１００が形成され、該係着面カット部位１００内にシート部材あるいは柔軟性のある板部材に名称、ロゴ、広告あるいは模様など表記１０２が施された表記部材１０１が貼り付けられている。
【００１６】
手首バンド本体４３の外面である底面に手根載せ滑らせ部４５が着脱自在形態とされ、且つ、手首バンド本体４３を手首から外すことなくそのままの装着状態で、手根載せ滑らせ部４５を外して手首バンド本体４３に場所を換えた状態でも向きを換えた状態でも係止できるよう、手根載せ滑らせ部４５の上面にフック掛り繊維側係着面５０に係止するフック面ファスナ部材５２が設けられ、手根載せ滑らせ部４５の係止位置や向き（留め置き場所や向き）を手の手根から退避させることができるようにしてある。
フック面ファスナ５２に換えて、ホックによる係止や軸部材による回転可能な取り付けとして、手根載せ滑らせ部４５を回して向きを１８０度かえて、手根載せ滑らせ部４５を手の手根から退避させるようにするのもよい。
これにより、マウス操作時以外でも手首バンドを手首に装着したまま、手根載せ滑らせ部４５を動作の邪魔にならないようにして、携行しつづけることができる。
手首バンド本体４３および手根載せ滑らせ部４５と底面は通気性のある織物形態の布製部材でフック掛り繊維側係着面５０となっている。すなわち、底面全体がフック掛り繊維側係着面５０となっている。
バンド通し部は環部材以外に、手首バンド４１にあけた孔形態からなるもの、切り込み形態からなるものなどがある。
手根載せ滑らせ部４５のマウスに向かう縁部は中央が湾曲凹形態にマウス避け部５４が形成されている。マウス避け部５４はマウスを操作している手を停止させた状態で、指のみの動かし操作でマウスを移動させる指のみマウス操作時において、特に引いたときの動作許容範囲を広げるものであるとともに、手根載せ滑らせ部４５の手の手根の載る前後幅を狭めることなくマウスの引き許容範囲を広げることができるものである。
また、マウス避け部５４部位は手の手根の凹だ部位に位置しており、手の手根が手根載せ滑らせ部４５に載らない部位であるので、マウス避け部５４を設けても違和感がないものである。
マウス避け部５４を設けたことによって、機能性能を犠牲にすることなく手根載せ滑らせ部４５の形状を単純な面白みの無い形状でないハート形とすることができる。
手首バンドは、リング形態で手を潜らせ装着するものでもよい。
＜付記Ａ＞
［他の請求項１］
キノコ形、Ｔ字形、Ｌ字形あるいはＪ字形などのフック部材の多数により形成されたフック側係着面をベース体の一方の面に有するフック面ファスナ部材、このフック面ファスナ部材の前記フック部材が着脱自在に掛る多数のフック掛り部材を繊維製部材により形成されたフック掛り繊維側係着面をベース体の両方の面に有する繊維面ファスナ部材からなる手首に巻き装着する手首バンドと、
この手首バンドと一体的にあるいは該手首バンドに着脱自在に設けられた、前記手首バンドと実質同一部材あるいは略同一部材により形成された手の手根を載せテーブル面上を滑らせる手根載せ滑らせ部とからなることを特徴とするマウス操作補助具。
［他の請求項２］
ベース体が一枚のシート部材であることを特徴とする請求項１記載のマウス操作補助具。
［他の請求項３］
手首バンドに形成された、手の手根の側面が当るのを避けるための凹形態あるいは２箇所以上の切り込みにより形成された手の手根の側面に押されて外に逃げる形態の手避け部を設けてなることを特徴とする請求項１、２いずれか記載のマウス操作補助具。
［他の請求項４］
手避け部が位置する部位の手首バンドの幅が、手首の踝と手の根元の間に収まる幅に形成された手首収まり幅部としてなることを特徴とする請求項１、２、３いずれか記載の手首バンド。
｛技術分野｝
本発明は、主にコンピュータを操作するマウスの使用時に手に装着して使用するマウス操作補助具に関する。
｛背景技術｝
従来、マウスを滑動かし操作する動作においては手根を操作台に載せ置いた状態で行うために、皮膚が薄く敏感な部分であるためなどの理由により違和感を強く感じたり、慣れで意識しないが人によってはストレスとなり、人によっては肩こり腕のしびれを生じ、神経系などに支障をきたす、それが腕以外の身体の他の部位に不快感や違和感を生じさせたりして異常をもたらす引き金になったりなどなど、身体面、精神面ないし心理面にまで悪影響を与えているという問題があった。
このような問題を解決するための技術として、マウスの使用時に手の手根がマウスパットや机に接触して擦れる違和感を無くすための技術として、特許文献１（特開２００６−１１３６１９の（図７）にマウス操作補助具の発明が開示されている。
｛特許文献１｝  特開２００６−１１３６１９（図７）
｛非特許文献１｝  特になし
｛他の発明の開示｝
｛他の発明が解決しようとする課題｝
特許文献１に開示された発明は、略手首に巻装着する内面（手首に接触する面）に繊維面ファスナ部材の一方の側（図示せず）を設けた手首バンド（バンド３１）と、この手首バンド（バンド３１）に設けられたマウスを支持した手の手根を載せる手根載せ滑らせ部（手載せ具本体３２）とからなり、手Ａとマウス２を移動させる場合に該Ａの手のひらＢを手根載せ滑らせ部（手載せ具本体３２）上に載せ置いて移動させるものである。
そして、手根載せ滑らせ部（手載せ具本体３２）の手首バンド（バンド３１）に係止される部位である取付け部３３には手首バンド（バンド３１）の内面の繊維面ファスナ部材に係合するフック面ファスナが設けられて着脱自在とされている。
手根載せ滑らせ部（手載せ具本体３２）は特に材質やその形態は記述されておらず、少なくともテーブル面上やマウスパット上を滑る部材である。
この従来技術には次のような解決すべき課題があった。
（１）手根載せ滑らせ部（手載せ具本体３２）が板材であるので、テーブル上を滑らせた場合に滑らせ振動が載せた手に直接的に伝わり、違和感がある。
（２）通気性が悪く手の根が汗で濡れる。
（３）手首バンドを手に当る部位に巻いた場合に、手首バンドの縁が手の付け根あたりの主に手の手根側面に当り違和感がある。
この欠点を回避するために手の手根側面から離れた腕部位に手首バンドを巻いた場合には、腕のストレートな部位への手首バンドの装着となり、
第１に、装着感を良くするために装着感を緩くした場合には、装着性が甘くなり操作中に不用意に動き移動してしまうこと頻繁に生じ使用感と操作性が大変悪いという欠点を有するとともに、その都度装着しなおしを行うとか他方の手で手首側への戻し操作を行うとか、煩雑な操作をしなければならないので使用感が悪いものになってしまう、
第２に、移動しないようにするために締め付けを強くした巻き付けとした場合には、腕への締め付けが強く違和感があるとともに、長時間締め付けたまま装着していることが血液の循環の悪化を招くなど、長時間の使用ができ難い、
第３に、手首バンドから手の手根が遠くなるので、その分だけ手根載せ滑らせ部を長くしなければならないものである。
（４）手を洗う場合や、手に荷物を持つ場合や、装着したまま出かけるなどの場合に、手根位に被さっている手根載せ滑らせ部（手載せ具本体３２）が邪魔になるという欠点を有するものであったし、その都度外すのが面倒であったり、外し置いために置き忘れたり、紛失してしまうことが生じる。
｛他の発明の目的｝
本他の発明は以上のような従来技術の欠点に鑑み、以下のような目的の手根保護具を提供することを目的としている。
本発明の第１の目的は、手首および手根載せ滑り部の通気性とソフトな装着感および滑り振動の軽減した操作・使用感・装着感を実現するとともに、表面と裏面のどちらの面でも同様な操作・使用感・装着感を実現するマウス操作補助具を提供することを目的としている。
本他の発明の第２の目的は、前記第１の目的に加えて手首バンドによる手の付け根への当り違和感が生じないとともに、マウス非操作時は手根載せ滑らせ部を手の手根から手首バンドの手首への装着はそのままで退避させることができる手根保護具を提供することを目的としている。
また、本他の発明の第３の目的は、前記本発明の第１、２の目的に加えて、手首バンドによる手への当り違和感が小さいとともに、手首バンドの軽い締め付け装着でも移動することが生じ難い手根保護具を提供することを目的としている。
｛他の発明の効果｝
以上の説明から明らかなように、本他の発明にあっては次に列挙する効果が得られる。
＜他の請求項１記載の発明の効果＞
キノコ形、Ｔ字形、Ｌ字形あるいはＪ字形などのフック部材の多数により形成されたフック側係着面をベース体の一方の面に有するフック面ファスナ部材、このフック面ファスナ部材の前記フック部材が着脱自在に掛る多数のフック掛り部材を繊維製部材により形成されたフック掛り繊維側係着面をベース体の両方の面に有する繊維面ファスナ部材からなる手首に巻き装着する手首バンドと、
この手首バンドと一体的にあるいは該手首バンドに着脱自在に設けられた、前記手首バンドと実質同一部材あるいは略同一部材により形成された手の手根を載せテーブル面上を滑らせる手根載せ滑らせ部とからなることを特徴とするマウス操作補助具である。
すなわち、両面が通気性と柔軟性と反発弾性力のあるフック掛り繊維側係着面を両面に設けた構成であるので、
１：手の根を載せる部位のテーブル面との接触面積を減らし滑りを良くする、
２：載せた手の根部位の載り接触する部位に通気性をよくする、
３：載せた手の根部位の接触する部位が接触面積の少ないソフトなクッション面とする、
４：手の根を載せた部位に全体のソフトなクッション性と滑り操作時の振動を吸収させる、手首に巻き装着する手首バンド部位の肌への接触がソフトで通気性のよいものとする、
５：表面および裏面が同様な構成であるので、いずれの面を外面、内面としてでも前記１：〜４：と同様な操作・使用感および装着感を得ることができる、
という作用効果を奏するものである。
：本願他の発明が特許されるべき理由：
手根載せ滑らせ部を通気性があり且つテーブル面との接触面積の小さな不織布などの部材に置き換えることは当業者にとっては容易なし得るものであると思料する。
しかし、マジックテープ（登録商標）などの面ファスナは、連結手段、接合手段あるいはバンドの連結調節手段として使用されることを目的とし、また本願発明の技術的分野での手首に装着するマウス操作補助具においても同ように、手首バンドの連結調節手段としての目的を果しているものである。
さらに一方の面をフック掛り繊維側係着面とし他方の面をフック側係着面とした面ファスナが知られているが、これは手首バンドなどとして使用した場合にフック部材がフック掛り部材に掛り係着されて連結することを目的としているものである。
しかるに、本願他の発明のフック掛り繊維側係着面を両面に設けるという技術的思想ないし構成およびそれらを解決手段にする発明に導く課題は、従来において何ら提起されていないものであり、この技術的思想ないし構成には新規性および進歩性があるものである。
さらに、一方の面にフック掛り繊維側係着面を有していればベルトの係着による連結調節という目的が達成されるとともに、一方の面のフック掛り繊維側係着面だけを使用するのみであることから、フック掛り繊維側係着面を両面に設けることに技術的意義が見出せないとともに、単に高価になるだけのものとするだけのものであるので、従来の使用態様ないし使用形態を目的とする範囲では、フック掛り繊維側係着面を両面に設けた面ファスナを想到することには、それによって課題が解決される特別な課題がない限り、当業者といえども容易に想到できないものであることはあきらかである。
まして、本願他の発明は、マウス操作補助具という技術分野において、１：手の根を載せる部位のテーブル面との接触面積を減らし滑りを良くする、２：載せた手の根部位の載り接触する部位に通気性をよくする、３：載せた手の根部位の接触する部位が接触面積の少ないソフトなクッション面とする、４：手の根を載せた部位に全体のソフトなクッション性と滑り操作時の振動を吸収させる、手首に巻き装着する手首バンド部位の肌への接触がソフトで通気性のよいものとする、５：表面および裏面が同様な構成であるので、いずれの面を外面、内面としてでも前記１：〜４：と同様な操作・使用感および装着感を得ることができるという、従来技術には無い顕著で格別な作用効果を奏するものである。
＜他の請求項２記載の発明の効果＞
他の請求項１記載の発明の構成において、ベース体が一枚のシート部材である構成したので、
ベース体は（一般的な面ファスナでは厚みが０．１ｍｍ〜０．２ｍｍ程度）の一枚であるので折畳みやすく、その両面にフック掛り繊維側係着面が直接的に植毛、融着あるいは溶着などされた構成であるので部材および製造コストが安価にできる。
またベース体は０．１ｍｍ〜０．２ｍｍ程度と肉薄なので、手根載せ滑らせ部が手首バンドへの着脱形態のものでは、手根載せ滑らせ部を面ファスナ同士の係着により取り付けた状態において、手首と該手根載せ滑らせ部の間に生じる段差が小さく、その段差が手首に装着した状態で該手首に当っても、違和感のないないし感じさせたとしても弱く小さいものにできるという効果を奏する。
＜他の請求項３記載の発明の効果＞
他の請求項１、２いずれか記載の発明の構成において、手首バンドに形成された、手の手根の側面が当るのを避けるための凹形態あるいは２箇所以上の切り込みにより形成された手の手根の側面に押されて外に逃げる形態の手避け部を設けてなる構成としたので、
（１）主に手の手根の側部が当るのを避けるための凹形態ないし押され逃げ可動の手避け部によって、手首を左右に動かしても手首バンドの前縁が手の手根側面に当ることが回避され、手首の左右動かし操作や動作を行うことが手首バンドの当り無しに違和感無く行うことができるという作用効果を奏する。
（２）前記（１）によて、手避け部を１ｃｍ程度は凹ませるものであるので、その分だけ手根載せ滑らせ部を従来のものに比べて前方に移動させるものであり、よって、その分すなわち手根載せ滑らせ部を１ｃｍ程度は従来のものより短くできるという効果を奏するものである。
：本願他の発明が特許されるべき理由：
手根載せ滑らせ部（手載せ具本体３２）は手首バンド（バンド３１）から着脱できる構造であるが、手首バンド（バンド３１）に内面に面ファスナの係合により係止する構造であるため、手首バンドを手首に巻いた状態のままでは着脱することができないものであり、別の手根載せ滑らせ部に交換する以外に、技術的意義を見出せないものである。
特に、特許宇文献１においては、マウスの非操作時には手首バンドの手首への装着はそのままにして、手根載せ滑らせ部を手の手根から退避させ、他の動作や作業等の邪魔にならないようにするという課題は何ら示唆されていないものであることからも、手根載せ滑らせ部の退避という技術的思想については全く無いものであることは明らかである。
＜他の請求項４記載の発明の効果＞
他の請求項１、２、３いずれ記載の発明の構成において、手避け部が位置する部位の手首バンドの幅が、手首の踝と手の根元の間に収まる幅に形成された手首収まり幅部としてなるものであるので、
他の請求項１、２、３いずれか記載の発明と同様な効果を奏するとともに、締め付け違和感のないあるいは軽微な軽く緩やかな手首バンドの締め付けでも、手首収まり幅部が手首踝と手の根元に当り感を生じさせることなく、手首踝と手の根元の手首凹に収まるので、手首収まり幅部がストッパーとなって、マウス操作時に移動することが生じないという効果を奏する。
【００１７】
図９に示す本発明を実施するため最良の第６の実施の形態において、６０は手首バンドであって、この手首バンド６０はバンド部位６１、バンド部位６２とからなる手首に巻き装着される手首バンド本体６３と、
バンド部位６１の端方に貫通孔形態で設けられた、バンド部位６２を通すためのハトメ部材により形成されたバンド通し部６４と、
手首バンド本体６３から前方に該手首バンド本体６３と一体形態で形成され突き出すように設けられた、手の手根を載せてテーブル面上やマウスパット面上を滑らせる手根載せ滑らせ部６５と、
バンド部位６２の底面端に設けられた、バンド通し部６４にバンド部位６２を潜らせ通して折り返し締めてバンド部位６２の底面同士を合せ、該底面を形成する繊維面ファスナ部材７０に着脱自在に係止する係止手段であるフック面ファスナ部材６６と、
バンド部位６１とバンド部位６２に設けられた、手首バンド本体６３を手首に巻き付け装着した場合に、主に手の手根の側部（手の根元）に手首バンドの縁が当るのを避けるための湾曲凹形態の手避け部６７、６７と、
手避け部６７、６７と手根載せ滑らせ部６５の連絡部位を形成する、手首の幅よりも狭い幅である狭い幅部６８、６８と、
バンド部位６１とバンド部位６２の手避け部６７、６７の位置する部位のバンド幅が、手首の踝と手の根元の間に収まる幅に形成されてなる手首収まり幅部６９、６９と、
から構成されている。
【００１８】
手首バンド本体６３および手根載せ滑らせ部６５の底面（外側面、滑らせ面）はベース体が通気性のあるベース体が織物形態の布製部材の繊維面ファスナ部材７０となっている。すなわち、底面全体が反対面への通気性を有する繊維面ファスナ部材７０となっている。
手首バンド本体６３および手根載せ滑らせ部６５の平面（内側面、手根載せ面）は、ベース体が通気性のある織物形態の布製部材の繊維面ファスナ部材７１となっている。すなわち、平面全体が反対面への通気性のある繊維面ファスナ部材７１となっている。
繊維面ファスナ部材７０と繊維面ファスナ部材７１の間にはクッション部材である厚さ２ｍｍ〜５ｍｍのスポンジ製部材７２がサンドイッチ状態で設けられ、端部は全周に渡ってソフトで肌触りの良い通気性のある布製部材の端部を内側に折込んで縫合７５した端部化粧布７４により覆われ化粧され、周囲端部の手への当りがソフトで違和感のないものになるようにしている。
平面を形成する繊維面ファスナ部材７１は高価であり、該繊維面ファスナ部材７１に換え安価な通気性の良好な木綿や化学繊維などの布製部材を使用するのが好ましい。
【００１９】
図１０に示す本発明を実施するための最良の第７の実施の形態において前記第６の実施の形態と主に異なる点は、手首バンドを腕側まで延びる幅広のバンド部位８０、手首バンド８１からなる手首バンド８２とし、バンド通し部を環部材８３とし、手避け部６７、６７に近傍する平面部位（肌に当接する部位）に柔らか形態の手首凹に入る手首凹入り突起８４、８４が設けられてなる手首バンド８５を形成してなる点である。
手首バンド８２を手首に巻き装着したとき、手首凹入り突起８４、８４が手首凹部位（手の根元と手首踝の間の凹）に入ることにより、軽い締め付けあるいは締め付けの殆ど感じない程度の締め付けでも、手首凹に入って（嵌って）いる手首凹入り突起４８、４８が手首踝と手根元に当り手首バンドが移動するのが阻止されるので、マウス操作中に手首バンドが移動してしまうことが生じないという作用効果を奏する。
【００２０】
［付記Ｂ］
他の発明は以上のような従来技術の欠点に鑑み、テーブル面上を軽快に滑らせることができるとともに使いつづけてもその滑り能力が低下しない、滑り振動の手への伝わりを大幅に軽減する手首バンドを提供することを目的としている。
また他の発明の他の目的は、手根や手首の汗によりべたついた違和感を感じ難い、汗濡れ状態が素早く解消される手首バンドを提供することを目的としている。
また他の発明の他の目的は、汗濡れ状態となっても非汗濡れ状態での使用に素早く切り替えることができ、滑り振動の手への伝わりを大幅に軽減する手首バンドを提供することを目的としている。
また他の発明の他の目的は、汗と細菌とによる臭気の発生を抑制し、滑り振動の手への伝わりを大幅に軽減する手首バンドを提供することを目的としている。
また他の発明の他の目的は、テーブル面上を軽快に滑らせることができるとともに使いつづけてもその滑り能力が低下しない、汗濡れ状態が素早く解消され、汗濡れ状態となっても非汗濡れ状態での使用に素早く切り替えることができ、滑り振動の手への伝わりを大幅に軽減する手首バンドを提供することを目的としている。
また他の発明の他の目的は、手首への装着性が大変よく、操作中に動き移動する事態が生じない手首バンドを提供することを目的としている。
［付記Ｃ］
＜他の発明１記載の発明の構成＞
主にコンピュータ操作をおこなうマウスの使用時に手に装着する手首バンドであって、手首を載せる手首バンド本体と、この手首バンド本体から突き出すように設けられた手根を乗せるための手根載せ滑らせ部と、前記手首バンド本体の一方の側から延びるように設けられた一方のバンド部位と、前記手首バンド本体の他方の側から延びるように設けられ且つ前記一方のバンド部位と重なり連結される他方のバンド部位と、前記手首バンド本体および前記手根載せ滑らせ部のテーブル面上での滑り面部を形成する、繊維製部材からなる滑り面部と、前記一方のバンド部位と前記他方のバンド部位を着脱自在に連結し且つ手首巻き付け調節が行える係止手段とで手首バンドを構成している。
本願では適当な表現用語が見つからないために、その形態を最も適切に表している「繊維製部材」としていが、繊維製部材のみに技術的範囲を限定するものではない。フック形態や略キノコ形態などの引っ掛かり側面ファスナ部材の引っ掛かり体が引っ掛かる、細い繊維部材が多数のループ形態、多数の略ループ形態、不織布形態で引っ掛かり体が入り込み引っ掛かる隙間が形成されてなるもの、不織布形態で隙間が大きく通気性が極めてよくクッション性のよい形態のものを含むものであり、繊維部材が隙間多く配置されてテーブル面との接触面積がその隙間多い繊維部材により小さくて、よって摩擦が少ない滑りが良好な状態を維持しつづけ、クッション性の良いものをいう。
＜他の発明２記載の発明の構成＞
他の発明１記載の発明の構成において、手根載せ滑らせ部の手首載せ面、手根載せ滑らせ部の手根載せ面、一方のバンド部位の手首当接面、他方のバンド部位の手首当接面が繊維製部材で形成されてなる手首バンドを構成している。
＜他の発明３記載の発明の構成＞
他の発明１記載の発明の構成において、表面、裏面の略全面が繊維製部材であり、係止手段が前記繊維製部材に引っ掛かってファスナを形成する引っ掛かり側面ファスナ部材である手首バンドを構成している。
＜他の発明４記載の発明の構成＞
他の発明１〜３いずれか記載の発明の構成において、繊維製部材が抗菌繊維により形成されてなる手首バンドを構成している。
＜他の発明５記載の発明の構成＞
他の発明１〜４いずれか記載の発明の構成において、手根載せ滑らせ部が繊維製部材を３〜４層にした形態である手首バンドを構成している。
＜他の発明６記載の発明の構成＞
他の発明１〜４いずれか記載の発明の構成において、手根載せ滑らせ部に着脱自在にされた、繊維製部材が１〜２層の手根載せ滑らせ部追加層体を設けてなる手首バンドを構成している。
＜他の発明７記載の発明の構成＞
他の発明１〜６いずれか記載の発明の構成において、滑り面部の上部に消音層を設けてなる手首バンドを構成している。
＜他の発明８記載の発明の構成＞
他の発明１〜７いずれか記載の発明の構成において、手根載せ滑らせ部、一方のバンド部位、他方のバンド部位に貫通した通気孔を多数設けてなる手首バンドを構成している。
＜他の発明９記載の発明の構成＞
主にコンピュータ操作をおこなうマウスの使用時に手に装着する手首バンドであって、手首を載せる手首バンド本体と、この手首バンド本体から突き出すように設けられた手根を乗せるための手根載せ滑らせ部と、前記手首バンド本体の一方の側から延びるように設けられた一方のバンド部位と、前記手首バンド本体の他方の側から延びるように設けられ且つ前記一方のバンド部位と重なり連結される他方のバンド部位と、前記手首バンド本体および前記手根載せ滑らせ部のテーブル面上での滑り面部を形成する滑り面部と、前記一方のバンド部位と前記他方のバンド部位を着脱自在に連結し且つ手首巻き付け調節が行える係止手段と、前記一方のバンド部位と前記他方のバンド部位に設けられた、手根の側部が当るのを避けるための凹形態の手避け部と、この手避け部により形成された前記一方のバンド部位と前記他方のバンド部位の手首の踝と手との間に収まる幅の手首収まり幅部とで手首バンドを構成している。
＜他の発明１０記載の発明の構成＞
他の発明１〜８いずれか記載の発明の構成において、一方のバンド部位と他方のバンド部位が他の発明８に記載の一方のバンド部位と他方のバンド部位である手首バンドを構成している。
［付記Ｄ］
＜他の発明１記載の発明の効果＞
主にコンピュータ操作をおこなうマウスの使用時に手に装着する手首バンドであって、手首を載せる手首バンド本体と、この手首バンド本体から突き出すように設けられた手根を乗せるための手根載せ滑らせ部と、前記手首バンド本体の一方の側から延びるように設けられた一方のバンド部位と、前記手首バンド本体の他方の側から延びるように設けられ且つ前記一方のバンド部位と重なり連結される他方のバンド部位と、前記手首バンド本体および前記手根載せ滑らせ部のテーブル面上での滑り面部を形成する、繊維製部材からなる滑り面部と、前記一方のバンド部位と前記他方のバンド部位を着脱自在に連結し且つ手首巻き付け調節が行える係止手段とで手首バンドを構成しているので、次のような効果を奏する。
すなわち、
「滑り面部」としたことにより、
繊維部材が多数の隙間を形成して且つ載せた手の良好なクッション体を形成するものであるので、テーブルとの接触面積が小さいために摩擦が少なくテーブル面上を軽快に滑らせる良好な滑りを得が得られ、使いつづけてもその滑り能力が低下することがない、滑り振動の手への伝わりが大幅に軽減されるという効果を奏する。
＜他の発明２記載の発明の効果＞＜
他の発明１の構成において、手根載せ滑らせ部の手首載せ面、手根載せ滑らせ部の手根載せ面、一方のバンド部位の手首当接面、他方のバンド部位の手首当接面が繊維製部材で形成されてなる手首バンドを構成しているので、次のような効果を奏する。
すなわち、
他の発明１の効果に加えて、手との接触面側も繊維製部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）である繊維製部材となるので、手の接触感がソフト感と適宜なクッション感を得た違和感を感じ難いものにできるという効果を奏する。
＜他の発明３記載の発明の効果＞
他の発明１の構成において、表面、裏面の略全面が繊維製部材であり、係止手段が前記繊維製部材に引っ掛かってファスナを形成する引っ掛かり側面ファスナ部材である手首バンドを構成しているので、次のような効果を奏する。
すなわち、
他の発明の効果に加えて、手との接触面側も繊維製部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）である繊維製部材となるので、手の接触感がソフト感と適宜なクッション感を得た違和感を感じ難いものにできるという効果を奏する。
また、表面と裏面が同じ繊維製部材であり、手首バンドの係止手段が繊維製部材に引っ掛かってファスナを形成する引っ掛かり側面ファスナ部材であるので、汗により裏面が湿っぽくなったら裏返して表面を肌に接触するように簡単素早く切り替えて使用することが可能であり、通気性も極めて高いので、短時間の使用操作で湿っぽくたっていた裏面も乾燥状態になるので、大変便利であるという効果を奏する。
＜他の発明４記載の発明の効果＞
他の発明１〜３いずれか記載の発明の構成において、繊維製部材が抗菌繊維により形成されてなる手首バンドを構成しているので、次のような効果を奏する。
すなわち、
他の発明１〜３いずれか記載の発明の効果に加えて、抗菌繊維とすることにより汗で濡れた状態となっても雑菌の繁殖が抑えられることから、臭気が生じ難いという効果を奏する。
＜他の発明５記載の発明の効果＞
他の発明１〜４いずれか記載の発明の構成において、手根載せ滑らせ部が繊維製部材を３〜４層にした形態である手首バンドを構成しているので、次のような効果を奏する。
すなわち、
他の発明１〜４いずれか記載の発明の効果に加えて、手根載せ滑らせ部を繊維製部材を３〜４層形態としたことにより、よりクッション性がよく、滑り振動の手への伝わりが軽減され、手の高さがテーブル面から略８ｍｍ（４層  １層の厚みが略２ｍｍ）程度となって指で摘み持ったマウスの操作性が良いという効果を奏する。
＜他の発明６記載の発明の効果＞
他の発明１〜４いずれか記載の発明の構成において、手根載せ滑らせ部に着脱自在にされた、繊維製部材が１〜２層の手根載せ滑らせ部追加層体を設けてなる手首バンドを構成しているので、次のような効果を奏する。
すなわち、
他の発明１〜４いずれか記載の発明の効果に加えて、手根載せ滑らせ部の厚みを好みの厚さにしたり、汗で湿ったら裏返す汗による湿り気回避体として使用したりできるという効果を奏する。
＜他の発明７記載の発明の効果＞
他の発明１〜６いずれか記載の発明の構成において、滑り面部の上部に消音層を設けてなる手首バンドを構成しているので、次のような効果を奏する。
すなわち、
他の発明１〜６いずれか記載の発明と同様な効果を奏するとともに、消音層により滑り音を小さくできるとともに、滑り振動の吸収による軽減と良好なクッション性を得ることができるという効果を奏する。
＜他の発明８記載の発明の効果＞
他の発明１〜７いずれか記載の発明の構成において、  手根載せ滑らせ部、一方のバンド部位、他方のバンド部位に貫通した通気孔を多数設けてなる手首バンドを構成しているので、次のような効果を奏する。
すなわち、
他の発明１〜７いずれか記載の発明と同様な効果を奏するとともに、多数の通気孔と隙間だらけの繊維層とによりより汗を素早く乾燥させることができるという効果を奏する。
＜他の発明９記載の発明の効果＞
主にコンピュータ操作をおこなうマウスの使用時に手に装着する手首バンドであって、手首を載せる手首バンド本体と、この手首バンド本体から突き出すように設けられた手根を乗せるための手根載せ滑らせ部と、前記手首バンド本体の一方の側から延びるように設けられた一方のバンド部位と、前記手首バンド本体の他方の側から延びるように設けられ且つ前記一方のバンド部位と重なり連結される他方のバンド部位と、前記手首バンド本体および前記手根載せ滑らせ部のテーブル面上での滑り面部を形成する滑り面部と、前記一方のバンド部位と前記他方のバンド部位を着脱自在に連結し且つ手首巻き付け調節が行える係止手段と、前記一方のバンド部位と前記他方のバンド部位に設けられた、手根の側部が当るのを避けるための凹形態の手避け部と、この手避け部により形成された前記一方のバンド部位と前記他方のバンド部位の手首の踝と手との間に収まる幅の手首収まり幅部とで手首バンドを構成しているので、次のような効果を奏する。
すなわち、
手首バンドを凹形態の手避け部を設け、手首の踝と手との間に収まる幅の手首収まり幅部を形成したので、軽く手首に装着しても違和感の少ない装着を実現し且つ動かない安定性と安心性のある手首バンドを実現するという効果を奏する。
＜他の発明１０記載の発明の効果＞
他の発明１〜８いずれか記載の発明の構成において、一方のバンド部位と他方のバンド部位が他の発明８に記載の一方のバンド部位と他方のバンド部位である手首バンドを構成しているので、次のような効果を奏する。
すなわち、
他の発明１〜８いずれか記載の発明の効果に他の発明９記載の発明の効果を加えた効果を有する手首バンドを実現するという効果を奏する。
【００２１】
図１１、１２、１３に示す本発明を実施するための最良の第８の実施の形態において１１０は手首に装着する手首バンドであって、この手首バンド１１０は次のような構成となっている。
定義：キノコ形、Ｔ字形、Ｌ字形あるいはＪ字形などのフック部材９の多数により形成されたフック側係着面９７をベース体９４の一方の面に有するフック面ファスナ部材２１、このフック面ファスナ部材２１の前記フック部材９が着脱自在に掛る多数のフック掛り部材７を繊維製部材により形成されたフック掛り繊維側係着面９６をベース体９５の一方の面に有する繊維面ファスナ部材２２。
手首バンド１１０は、繊維面ファスナ部材２２で一方の面の全面がフック掛り繊維側係着面９６ａとされるとともに、他方の面が接合面とされた一方の繊維面ファスナ部材２２ａと、
繊維面ファスナ部材２２で一方の面の全面がフック掛り繊維側係着面９６ｂとされるとともに、他方の面が接合面とされた他方の繊維面ファスナ部材２２ｂと、
一方の繊維面ファスナ部材２２ａのベース体９５を含むフック掛り繊維側係着面９６ａ部位にその一部を打ち抜きあるいは切り抜きなどして取り除き形成された係着面カット部位９０ａ、９０ｂと、
他方の繊維面ファスナ部材２２ｂのベース体９５を含むフック掛り繊維側係着面９６ｂ部位にその一部を打ち抜きあるいは切り抜きなどして取り除き形成された、係着面カット部位９０ｂと重なる位置に形成された係着面カット部位９０ｃと、
一方の繊維面ファスナ部材２２ａの接合面と他方の繊維面ファスナ部材２２ｂの接合面をシート製部材である両面が接合面である他の部材９１を挟んで接着、融着あるいは溶着などの接合形態で一体化して形成した手首バンド本体１１１と、
この手首バンド本体１１１に形成された、手の広がる手根の側面が当るのを避けるための凹形態に形成された手避け部１１、１１と、
他の部材９１に予め印刷されて係着面カット部位９０ａ、９０ｂ、９０ｃ内に位置される名称、ロゴ、広告あるいは模様などの表記９２、９２、９２と、
係止手段１０と、
係着面カット部位９０ｄ、該係着面カット部位９０ｄに位置する表記９２を施した他の部材９１ａを挟んだ手根載せ滑らせ部４５ａとからなっている。
【００２２】
手首バンド１１０の製造方法には図１１あるいは図１２に示す二つの方法がある。
＜図１１に示す第１の製造方法＞
手首バンド本体１１１がピッタリと入る雌型（図示せず省略）とこの雌型に挿入されて手首バンド本体１１１全体を押し圧する雄型（図示せず省略）で押し圧接合形成する。
一方の繊維面ファスナ部材２２ａ、他方の繊維面ファスナ部材２２ｂ、係止手段１０および表記９２、９２、９２が印刷された他の部材９１を予め打ち抜きあるいは切り抜きなどにより所定の形状のものにしておく。
雌型に他方の繊維面ファスナ部材２２ｂおよび係止手段１０をその接合面を上にしてセットし、その上に他の部材９１をセットし、その上に一方の繊維面ファスナ部材２２ａをその接合面を下にしてセットし三層体を形成して、雄型を入れ押し圧して接着、融着あるいや溶着などにより接合一体化して手首バンド本体１１１を形成する。
雌型を深い形態として、前記三層体を多数収納して一回の押し圧操作で多数枚の手首バンドを形成するようにするのがよい。
＜図１２に示す第２の製造方法＞
所定枚数の一方の繊維面ファスナ部材２２ａを打抜ける大きさの繊維面ファスナ部材シート１１３に予め所定の係着面カット部位９０を形成しておく。
所定枚数の他の部材９１を打抜ける大きさの他の部材シート１１４に予め所定の表記９２を印刷しておく。
所定枚数の他方の繊維面ファスナ部材２２ｂを打抜ける大きさの繊維面ファスナ部材シート１１５を準備しておく。
所定枚数の係止手段１０を打ち抜きける係止手段シート１１６を準備しておく。
繊維面ファスナ部材シート１１３、他の部材シート１１４、繊維面ファスナ部材シート１１５、係止手段シート１１６を重ね接合一体化して重ねシート１１７を形成する。
打ち抜き型（図示せず省略）で多数の手首バンド本体１１１を一回で打抜形成する、あるいは複数回に分けて打ち抜き形成する、あるいは切断形成する。
重ねシート１１７は平シートにとどまらず、ロールに巻かれたものを重ね接合しながら同時に打抜装置あるいは切断装置で手首バンド本体１１１を打抜あるいは切断形成してゆくのも可能である。
図１３に示す手根滑らせ部４５ａも前記＜第１の製造方法＞＜第２の製造方法＞と同様な製造方法により形成することができる。
手根滑らせ部４５ａは、所定の形状に形成されるとともに係着カット部位９０を予め形成してなるテーブル面と接触する滑り面となる繊維面ファスナ部材２２からなる滑り面ファスナ部１１９と、所定の形状に形成されるとともに係着カット部位９０内に位置される表記９２を予め印刷表示してなる布製部材、紙製部材あるいは合成樹脂製部材などのシート製部材からなる他の部材１２０と、所定の形状に形成された手の根を載せる部位である繊維面ファスナ部材２２からなる手の根載せ面ファスナ部１２１と、フック面ファスナ部材５２と、これらの接合面を接合一体化してなるものである。
【００２３】
図１４に示す本発明を実施するための最良の第９の実施の形態において前記第８の実施の形態と主に異なる点は、その他の部材９１を用いないで、係着面カット部位９０ａ、９０ｂを形成した繊維面ファスナ部材２２ａと係着面カット部位を設けないあるいは係着面カット部位９０ａ、９０ｂとかさならない係着面カット部位を形成した繊維面ファスナ部材２２ｂを直接貼り合わせ手首バンド本体１１１ａを形成し、係着面カット部位９０ａ、９０ｂに表記９２が表示された表記部材１０１が嵌め込まれ接着固定されている。
繊維面ファスナ部材２２ａと繊維面ファスナ部材２２ｂの接合一体化を粘着材による接着とすることによって、係着面カット部位９０ａ、９０ｂの開口底面は粘着面となるので、表記部材１０１を入れ押し圧するだけで接着固定することができる。これにより、手首バンド本体１１１ａに後で好みの表記部材１０１を取り付け、アクセント付き、ロゴ付きあるいは広告付きなどの手首バンドとすることができる。
【００２４】
図１５に示す本発明を実施するための最良の第１０の実施の形態において前記第８の実施の形態と主に異なる点は、係着面カット部位の形態を孔開口形態では無く縁凹形態の係着面カット部位９０ｅとした手首バンド１２４を形成した点にある。
【００２５】
図１６に示す本発明を実施するための最良の第１１の実施の形態において前記第８の実施の形態と主に異なる点は、係着面カット部位の形態をより大きく長い形態の係着面カット部位９０ｆ、９０ｇとした手首バンド１２５を形成した点にある。
重ね接合の製造工程において、雌型の底部に係着面カット部位９０ｆ、９０ｇに嵌る凸部位を設け、係着面カット部位９０ｆ、９０ｇを形成されたの繊維面ファスナ部材２２ａを接合面を上にしてセットし、その上に他の部材シート１１４を表記９２を下にしてセットし、その上に繊維面ファスナ部材２２ｂをフック掛り繊維側係着面９６ｂを上にしてセットして三層体を形成し、この三層体を雄型で押し圧して接合し、雌型から取り出しさらに押し圧して接合の一体化を強化して形成する。
係着面カット部位９０ｆ、９０ｇに嵌る凸部を有する仕切り型を多数舞い用意し、前記三層体の間に仕切り型を入れた多数の三層体の重ね状態にして、それを押し圧して一回の押し圧で多数枚の手首バンド１２５を形成するようにするのがよい。
【産業上の利用可能性】
【００２６】
本発明は主にパソコン周辺グッズ産業で利用される。
【図面の簡単な説明】
【００２７】
【図１】本発明を実施するための最良の第１の実施の形態を示す平面図、底面図、正面図、背面図、左側面図および右側面図。
【図２】本発明を実施するための最良の第１の実施の形態のマウスを持っての使用状態を示す下方から観た斜視図。
【図３】本発明を実施するための最良の第１の実施の形態の使用状態を示す斜視図。
【図４】本発明を実施するための最良の第２の実施の形態を平面図、底面図および背面図。
【図５】本発明を実施するための最良の第３の実施の形態を示す手首バンドの平面図、保護カバーの平面図および取り付け状態を示す平面図。
【図６】本発明を実施するための最良の第４の実施の形態を示す手首バンドの平面図、保護カバーの平面図および取り付け状態を示す平面図。
【図７】本発明を実施するための最良の第５の実施の形態を示す底面図、平面図、手手根載せ滑らせ部を外した状態の底面図および正面図。
【図８】本発明を実施するための最良の第５の実施の形態の手根載せ滑らせ部を手首バンドの上部に向きを換えて係止舌状態の斜視図。
【図９】本発明を実施するための最良の第６の実施の形態を示す底面図および部分拡大断面図。
【図１０】本発明を実施するための最良の第７の実施の形態を示す平面図および正面図。
【図１１】本発明を実施するための最良の第８の実施の形態を示す組立分解斜視図（ａ）、組立斜視図（ｂ）、手根載せ滑らせ部を係着した状態の斜視図（ｃ）および第１の製造工程図。
【図１２】本発明を実施するための最良の第８の実施の形態の第２の製造工程図。
【図１３】本発明を実施するための最良の第８の実施の形態の手根載せ滑らせ部の組立分解斜視図（ａ）、組立斜視図（ｂ）および製造工程図。
【図１４】本発明を実施するための最良の第９の実施の形態の組立分解斜視図および組立図。
【図１５】本発明を実施するための最良の第１０の実施の形態の組立分解斜視図および組立図。
【図１６】本発明を実施するための最良の第１１の実施の形態の斜視図。
【符号の説明】
【００２８】
Ａ：手、
Ｂ：手首、
Ｃ：手根、
Ｄ：手首の踝、
１：手首バンド、
２：マウス、
３：手首バンド本体、
４：手根載せ滑らせ部、
５：バンド部位、
６：バンド部位、
７：フック掛り部材、
８：滑り面部、
９：フック部材、
１０：係止手段、
１１、１１：手避け部、
１２、１２：手首収まり幅部、
１３：狭い幅部、
１４：フック掛り部材、
１５：係止手段、
１６：手根載せ滑らせ部追加層体、
１７：通気孔、
１８：消音層、
２０：手首バンド、
２１：フック面ファスナ部材、
２２、２２ａ、２２ｂ、２２ｃ：繊維面ファスナ部材、
２４：保護保護カバー、
２６：取り付け手段、
２７：取り付け手段、
２８：手首巻き部、
２９：手首巻き部、
３０：手載保護部、
３３：腕載せ部、
３４：手首バンド、
３５：保護カバー、
３６：腕保護部、
３７：保護カバー、
４０：手首バンド、
４１：バンド部位、
４２：バンド部位、
４３：手首バンド本体、
４４：環部材、
４５、４５ａ：手根載せ滑らせ部、
４６：フック面ファスナ部材、
４７：手避け部、
４８：狭い幅部、
４９：手首収まり幅部、
５０：フック掛り繊維側係着面、
５２：フック面ファスナ部材、
５４：マウス避け部、
６０：手首バンド、
６１：バンド部位、
６２：バンド部位、
６３：手首バンド本体、
６４：バンド通し部、
６５：手根載せ滑らせ部、
６６：フック面ファスナ部材、
６７：手避け部、
６８：狭い幅部、
６９：手首収まり幅部、
７０：繊維面ファスナ部材、
７１：繊維面ファスナ部材、
７２：スポンジ製部材、
７４：端部化粧布、
７５：縫合、
８０：バンド部位、
８１：手首バンド、
８２：手首バンド、
８３：環部材、
８４：手首凹入り突起、
８５：手首バンド、
９０、９０ａ、９０ｂ、９０ｃ、９０ｄ、９０ｅ：係着面カット部位、
９１、９１ａ：他の部材、
９２：表記、
９４：ベース体、
９５：ベース体、
９６、９６ａ、９６ｂ：フック掛り繊維側係着面、
９７：フック側係着面、
９８：ベース体、
１００：係着面カット部位、
１０１：表記部材、
１１０：手首バンド、
１１１、１１１ａ：手首バンド本体、
１１３：繊維面ファスナ部材シート、
１１４：他の部材シート、
１１５：繊維面ファスナ部材シート、
１１６：係止手段シート、
１１７：重ねシート、
１１９：滑り面ファスナ部、
１２０：他の部材、
１２１：手の根載せ面ファスナ部、
１２４：手首バンド、
１２５：手首バンド。
【図１】
0004353441.tif 000002
【図２】
0004353441.tif 000003
【図３】
0004353441.tif 000004
【図４】
0004353441.tif 000005
【図５】
0004353441.tif 000006
【図６】
0004353441.tif 000007
【図７】
0004353441.tif 000008
【図８】
0004353441.tif 000009
【図９】
0004353441.tif 000010
【図１０】
0004353441.tif 000011
【図１１】
0004353441.tif 000012
【図１２】
0004353441.tif 000013
【図１３】
0004353441.tif 000014
【図１４】
0004353441.tif 000015
【図１５】
0004353441.tif 000016
【図１６】
0004353441.tif 000017